(57)【要約】【課題】インピーダンス指定配線の領域設定の際に生じる配線禁止層の領域設定に誤りが生じる確率を低減する設定装置等の提供。【解決手段】設定装置は、インピーダンスの値の範囲が指定されたインピーダンス指定配線の配線位置を表す位置情報と、前記インピーダンス指定配線の幅とから第一配線層における前記インピーダンス指定配線の領域設定である第一設定を行う、第一設定部と、前記位置情報の格納時又は前記格納以前に格納された、前記第一配線層における配線が禁止された層である第一配線禁止層の第一配線禁止幅と前記位置情報とから、前記第一配線層における、前記第一配線禁止層の領域設定である第二設定を行う第二設定部と、を備える。【選択図】      図３
2020135463.tif 000002
【特許請求の範囲】
【請求項１】
インピーダンスの値の範囲が指定されたインピーダンス指定配線の配線位置を表す位置情報と、前記インピーダンス指定配線の幅とから第一配線層における前記インピーダンス指定配線の領域設定である第一設定を行う、第一設定部と、
前記位置情報の格納時又は前記格納以前に格納された、前記第一配線層における配線が禁止された層である第一配線禁止層の第一配線禁止幅と前記位置情報とから、前記第一配線層における、前記第一配線禁止層の領域設定である第二設定を行う第二設定部と、
を備える、設定装置。
【請求項２】
前記位置情報の入力時又は前記入力時以前に入力された、リファレンス層の幅であるリファレンス層幅と前記位置情報とから、第二配線層における前記リファレンス層の領域設定である第三設定を行う第三設定部を、さらに備える、請求項１に記載された設定装置。
【請求項３】
前記第二配線層の層数が複数である、請求項２に記載された設定装置。
【請求項４】
前記位置情報の格納時又は前記格納以前に格納された、第三配線層における配線が禁止された層である第三配線禁止層の第三配線禁止幅と前記位置情報とから、前記第三配線層における、前記第三配線禁止層の領域設定である第三設定を行う第三設定部と、
を備える、請求項１乃至請求項３のうちのいずれか一に記載された設定装置。
【請求項５】
前記第三配線層の層数が複数である、請求項４に記載された設定装置。
【請求項６】
前記インピーダンス指定配線が、複数本の配線の組である、請求項５に記載された設定装置。
【請求項７】
前記インピーダンス指定配線が差動配線である、請求項６に記載された設定装置。
【請求項８】
前記位置情報が、前記インピーダンス指定配線の中心線を表す、請求項１乃至請求項７のうちのいずれか一に記載された設定装置。
【請求項９】
インピーダンスの値の範囲が指定されたインピーダンス指定配線の配線位置を表す位置情報と、前記インピーダンス指定配線の幅とから第一配線層における前記インピーダンス指定配線の領域設定である第一設定を行い、
前記位置情報の格納時又は前記格納以前に格納された、前記第一配線層における配線が禁止された層である第一配線禁止層の第一配線禁止幅と前記位置情報とから、前記第一配線層における、前記第一配線禁止層の領域設定である第二設定を行う、
設定方法。
【請求項１０】
インピーダンスの値の範囲が指定されたインピーダンス指定配線の配線位置を表す位置情報と、前記インピーダンス指定配線の幅とから第一配線層における前記インピーダンス指定配線の領域設定である第一設定を行う処理と、
前記位置情報の格納時又は前記格納以前に格納された、前記第一配線層における配線が禁止された層である第一配線禁止層の第一配線禁止幅と前記位置情報とから、前記第一配線層における、前記第一配線禁止層の領域設定である第二設定を行う処理とを、
コンピュータに実行させる設定プログラム。
【発明の詳細な説明】
【技術分野】
【０００１】
本発明は、基板における配線領域の設定に関する。
【背景技術】
【０００２】
プリント基板における配線領域の設定は、一般に、ＣＡＤ（Ｃｏｍｐｕｔｅｒ−Ａｉｄｅｄ  Ｄｅｓｉｇｎ）を用いて行われる。ＣＡＤを用いたプリント基板の設計において、インピーダンスの値が指定されたインピーダンス指定配線の配線領域を設定する場合がある。その場合、インピーダンス指定配線のインピーダンス値を指定された値にするために、配線禁止層やリファレンス層を設定する必要がある。
【０００３】
その場合、一般的には、インピーダンス指定配線の配線領域を設定した後に、配線禁止層やリファレンス層を手作業の入力により領域設定する方法が用いられる。
【０００４】
ここで、特許文献１は、プリント基板の設計情報である基板データを用いて差動ペア線路の配線パターンを含むプリント基板のパターン設計を行う際に使用される基板設計プログラムを開示する。
【０００５】
また、特許文献２は、表示された、配線を形成したい表面を含む３次元物体上で配線を形成したい面内の２点間を結ぶ線を描画し、描画された線により規定される配線の３次元形状を示す第１の３次元データを生成する配線設計支援装置を開示する。
【先行技術文献】
【特許文献】
【０００６】
【特許文献１】特開２０１３−１２７８０７号公報
【特許文献２】特開２０１２−０５８８６１号公報
【発明の概要】
【発明が解決しようとする課題】
【０００７】
しかしながら、インピーダンス指定配線の領域設定の後に、配線禁止層やリファレンス層の入力設定を人が行う場合、特にインピーダンス指定配線の配線数が多い場合など、配線禁止層やリファレンス層の領域設定漏れが生じる危険性がある。
【０００８】
また、インピーダンス指定配線の領域設定を行った後に、当該領域設定を変更する場合には、配線禁止層やリファレンス層の設定も変更しなければならない。その場合、配線禁止層やリファレンス層の領域設定や変更に誤りや変更忘れが生じ、あるいは、当該領域設定や変更に時間を要するという問題がある。
【０００９】
本発明は、インピーダンス指定配線の領域設定の際に生じる配線禁止層の領域設定に誤りが生じる確率を低減する設定装置等の提供を目的とする。
【課題を解決するための手段】
【００１０】
本発明の設定装置は、インピーダンスの値の範囲が指定されたインピーダンス指定配線の配線位置を表す位置情報と、前記インピーダンス指定配線の幅とから第一配線層における前記インピーダンス指定配線の領域設定である第一設定を行う、第一設定部と、前記位置情報の格納時又は前記格納以前に格納された、前記第一配線層における配線が禁止された層である第一配線禁止層の第一配線禁止幅と前記位置情報とから、前記第一配線層における、前記第一配線禁止層の領域設定である第二設定を行う第二設定部と、を備える。
【発明の効果】
【００１１】
本発明の設定装置は、インピーダンス指定配線の領域設定の際に生じる配線禁止層の領域設定に誤りが生じる確率を低減し得る。
【図面の簡単な説明】
【００１２】
【図１】本実施形態の設定装置が領域設定対象とする多層配線基板の構成例を表す概念図である。
【図２】本実施形態の設定装置の構成例を表す概念図である。
【図３】設定処理部が行う処理の処理フロー例を表す概念図である。
【図４】第一の条件情報例に対応する領域設定結果例を表す概念図である。
【図５】第二の条件情報例に対応する領域設定結果例を表す概念図である。
【図６】第三の条件情報例に対応する領域設定結果例を表す概念図である。
【図７】第四の条件情報例に対応する領域設定結果例を表す概念図である。
【図８】第五の条件情報例に対応する領域設定結果例を表す概念図である。
【図９】第六の条件情報例に対応する領域設定結果例を表す概念図である。
【図１０】第七の条件情報例に対応する領域設定結果例を表す概念図である。
【図１１】実施形態の設定装置の最小限の構成を表すブロック図である。
【発明を実施するための形態】
【００１３】
図１は、図２を参照して説明する本実施形態の設定装置が領域設定対象とする多層配線基板の例である配線基板２００の構成を表す概念図である。配線基板２００は、絶縁層３１乃至３３の各々と配線層２１乃至２３の各々とが交互に積層された構成を有する。
【００１４】
本実施形態の設定装置は、ＣＡＤによる各領域設定を、配線層２１乃至２３の各々に対して行う。なお、図１に表す配線基板２００は配線層が３層のみだが、本実施形態の設定装置が領域設定の対象とする配線層の数は任意である。
【００１５】
配線層２１には、インピーダンス指定配線１の領域が設定される。以下、インピーダンス指定配線の領域が設定される配線層を「基準配線層」ということにする。その他の配線層は、基準配線層である配線層２１から上下に何番目の層であるかにより表現され得る。例えば、配線層２２は、基準配線層である配線層２１の下２番目の配線層である。
【００１６】
基準配線層である配線層２１には、インピーダンス指定配線１の領域以外に、インピーダンス指定配線１の領域に隣接して、配線が禁止される層である配線禁止層６１の領域が設定される。配線禁止層６１の領域は、例えば、インピーダンス指定配線１の中心線９０１を中心とする配線禁止幅Ｗｆ１により規定される。
【００１７】
配線層２１におけるインピーダンス指定配線１及び配線禁止層６１の領域の外側は、配線可能層７１の領域である。本実施形態では、インピーダンス指定配線、配線禁止層及びリファレンス層のいずれの領域も設定されていない領域は配線可能層７１であるとする。
【００１８】
図１の例では、配線層２２には、配線禁止層６１の領域のみが設定されている。配線禁止層６１の領域は、例えば、中心線９０１の配線層２２への投影線を中心とする配線禁止幅Ｗｆ２により規定される。
【００１９】
図１の例では、配線層２３には、リファレンス層８１の領域のみが設定されている。リファレンス層８１は、典型的には、グランド層である。リファレンス層８１の領域は、例えば、中心線９０１の配線層２３への投影線を中心とするリファレンス層幅Ｗｒにより規定される。
【００２０】
次に、図１に表すような各配線層の領域設定を行う本実施形態の設定装置の例について説明する。
【００２１】
図２は、本実施形態の設定装置の例である設定装置１００の構成を表す概念図である。
【００２２】
設定装置１００は、入力処理部１０１と、設定処理部１０２と、記憶部１０３と、出力部１０４とを備える。設定装置１００は、例えば、コンピュータである。
【００２３】
入力処理部１０１は、キーボードや受信装置等の外部から入力された入力情報を、記憶部１０３に格納させる。当該入力情報には、図１を参照して説明した例のような領域設定を行うための条件を表す条件情報が含まれる。
【００２４】
当該条件情報には、少なくとも、インピーダンス指定配線の中心線（図１の中心線９０１に相当）を表す情報とインピーダンス指定配線幅（図１のインピーダンス指定配線幅Ｗｉに相当）が含まれる。前記中心線を表す中心線情報は、例えば、基準配線層面の座標についての関数である。
【００２５】
前記条件情報には、また、各配線層における配線禁止幅が含まれ得る。当該配線禁止幅は、配線禁止層の領域を設定する配線層を特定する特定情報と結び付けられている。当該特定情報は、例えば、基準配線層を基準として上下何番目の配線層であるかを表す情報である。
【００２６】
前記条件情報には、また、リファレンス層幅が含まれ得る。当該リファレンス層幅は、リファレンス層の領域を設定する配線層を特定する特定情報と結び付けられている。当該特定情報は、例えば、基準配線層を基準として上下何番目の配線層であるかを表す情報である。
【００２７】
なお、前記条件情報が、前記配線禁止幅の代わりに、配線禁止層の端部のインピーダンス指定配線端部からの距離（図１に表す距離Ｘ）を含む場合も想定され得る。その場合、入力処理部１０１は、距離Ｘとインピーダンス指定配線幅Ｗｉとから配線禁止幅Ｗｆ１＝２Ｘ＋Ｗｉを求め、その配線禁止幅Ｗｆ１を記憶部１０３に格納させても構わない。あるいは、入力処理部１０１は、距離Ｘを記憶部１０３に格納させ、以降に設定処理部１０２が行う処理で、配線禁止幅Ｗｆ１＝２Ｘ＋Ｗｉが導出されても良い。
【００２８】
また、前記条件情報が、インピーダンス指定配線の中心線を表す関数の代わりに、当該中心線に対応する不連続な座標情報を含む場合も想定され得る。その場合に、入力処理部１０１は、当該座標からスプライン関数やＳ−スプライン関数等により、中心線を表す関数を導出しても良い。あるいは、入力処理部１０１は、前記座標情報を記憶部１０３に格納させ、以降に設定処理部１０２が行う処理で、前記座標情報から中心線を表す関数が導出されても良い。
【００２９】
また、前記条件情報のうち、前記配線禁止幅や前記リファレンス層幅は、前記中心線情報や前記インピーダンス指定配線幅より以前に、入力処理部１０１により記憶部１０３に格納されていても良い。前記配線禁止幅や前記リファレンス層幅の格納の後に、前記中心線情報や前記インピーダンス指定配線幅が変更されても構わない。
【００３０】
設定処理部１０２は、入力処理部１０１により、記憶部１０３に前述の条件情報が新たに格納されたかを監視する。そして、設定処理部１０２は、条件情報が新たに格納されたと判定すると、その条件情報に含まれるインピーダンス指定配線の中心線を表す情報及びインピーダンス指定配線幅に従い、基準配線層にインピーダンス指定配線の配線領域を設定する。インピーダンス指定配線の中心線を表す情報は、前述のように、例えば、基準配線層面の座標についての関数として表されている。座標に関する関数で与えられた線から所定の線幅を領域に設定する処理は、例えば、一般的な作図ソフトやＣＡＤで行われるものであり、周知である。
【００３１】
なお、インピーダンス指定配線は、配線間隔Ｗａの二本の配線の組である場合も想定され得る。その二本の配線の組は、例えば、差動配線である。その場合は、インピーダンス指定配線の中心線を表す関数は、例えば、二本の配線の組の中心線を表す関数とする。そして、設定処理部１０２は、まず、その中心線を中心とする２×Ｗｉ＋Ｗａの幅の領域から、その中心線を中心とする配線間隔Ｗａの領域を除外した領域を、インピーダンス指定配線の配線領域に設定する。
【００３２】
なお、設定処理部１０２が行う当該設定処理の具体例は、図３を参照して後述される。また、前記条件情報から当該設定処理された各配線層についての領域設定との対応例は、図４乃至図１０を参照して後述される。
【００３３】
記憶部１０３は、入力処理部１０１及び設定処理部１０２が指示する情報を格納する。記憶部１０３が格納する情報には、入力処理部１０１からの前記条件情報が含まれる。記憶部１０３は、また、入力処理部１０１や設定処理部１０２が上記処理を行うためのプログラムや情報を保持する。記憶部１０３は、また、入力処理部１０１及び設定処理部１０２が指示する格納情報を、設定装置１００の備える指定された構成に送付する。
【００３４】
出力部１０４は、設定処理部１０２が指示する情報を出力する。当該出力情報には、設定処理部１０２による設定処理結果が含まれる。出力部１０４は、例えば、ディスプレイや送信装置である。
【００３５】
図３は、図２に表す設定処理部１０２が行う処理の処理フロー例を表す概念図である。
【００３６】
設定処理部１０２は、例えば、外部からの開始情報の入力により図３に表す処理を開始する。
【００３７】
そして、設定処理部１０２は、Ｓ１０１の処理として、新たな条件情報が格納されたかについての判定を行う。条件情報の内容は、図２を参照して説明された通りである。設定処理部１０２は、記憶部１０３が保持している条件情報の少なくとも一部が変更された場合には、新たに条件情報が格納されたと判定する。
【００３８】
設定処理部１０２は、Ｓ１０１の処理による判定結果がｙｅｓの場合は、Ｓ１０２の処理を行う。一方、設定処理部１０２は、Ｓ１０１の処理による判定結果がｎｏの場合は、Ｓ１０１の処理を再度行う。
【００３９】
設定処理部１０２は、Ｓ１０２の処理を行う場合は、同処理として、その時点で設定されている各基板層の各設定領域を削除する。ただし、設定処理部１０２は、その時点で設定されている設定領域がない場合は、何も行わない。
【００４０】
そして、設定処理部１０２は、Ｓ１０３の処理として、基準配線層に、インピーダンス指定配線の領域を設定する。設定処理部１０２は、当該設定を、インピーダンス指定配線の中心線を中心とするインピーダンス指定配線幅の範囲をインピーダンス指定配線の領域とすることにより行う。
【００４１】
そして、設定処理部１０２は、Ｓ１０４の処理として、インピーダンス指定配線の中心線を中心とする指定された配線禁止幅の範囲を配線禁止層に設定する。ただし、設定処理部１０２は、Ｓ１０３の処理により設定されたインピーダンス指定配線の領域は配線禁止層から除外する。ここでの指定された配線禁止幅は、記憶部１０３に格納された最新の条件情報に含まれる基準配線層の配線禁止幅である。
【００４２】
次に、設定処理部１０２は、Ｓ１０５の処理として、記憶部１０３が保持する最新の条件情報に、基準配線層以外の配線層についての配線禁止幅の指定が含まれているかについての判定を行う。
【００４３】
設定処理部１０２は、Ｓ１０５の処理による判定結果がｙｅｓの場合は、Ｓ１０６の処理を行う。一方、設定処理部１０２は、Ｓ１０５の処理による判定結果がｎｏの場合は、Ｓ１０７の処理を行う。
【００４４】
設定処理部１０２は、Ｓ１０６の処理を行う場合は、同処理として、記憶部１０３が保持する最新の条件情報において配線禁止幅が指定された各配線層について、その配線禁止幅により配線禁止層の領域設定を行う。ただし、基準配線層については、配線禁止層が既に設定されているので、Ｓ１０６の処理対象の配線基板からは除外される。前記設定は、その配線層にインピーダンス指定配線の中心線を投影したことを想定した線を中心とする配線禁止幅を配線禁止層の領域とするものである。そして、設定処理部１０２は、Ｓ１０７の処理を行う。
【００４５】
設定処理部１０２は、Ｓ１０７の処理を行う場合は、同処理として、記憶部１０３が保持する最新の条件情報においてリファレンス層幅の指定があるかについての判定を行う。
【００４６】
設定処理部１０２は、Ｓ１０７の処理による判定結果がｙｅｓの場合は、Ｓ１０８の処理を行う。一方、設定処理部１０２は、Ｓ１０７の処理による判定結果がｎｏの場合は、Ｓ１０９の処理を行う。
【００４７】
設定処理部１０２は、Ｓ１０８の処理を行う場合は、同処理として、リファレンス層幅が指定された各配線層について、そのリファレンス層幅によるリファレンス層の領域設定を行う。当該設定は、その配線層にインピーダンス指定配線の中心線を投影したことを想定した線を中心とするリファレンス層幅をリファレンス層の領域とするものである。そして、設定処理部１０２は、Ｓ１０９の処理を行う。
【００４８】
設定処理部１０２は、Ｓ１０９の処理を行う場合は、同処理として、図３に表す処理を終了するかについての判定を行う。設定処理部１０２は、当該判定を、例えば、外部からの終了情報の入力の有無を判定することにより行う。
【００４９】
設定処理部１０２は、Ｓ１０９の処理による判定結果がｙｅｓの場合は、図３に表す処理を終了する。一方、設定処理部１０２は、Ｓ１０９の処理による判定結果がｎｏの場合は、Ｓ１０１の処理を再度行う。
【００５０】
次に、図４乃至図１０を参照して、図２に表す設定処理部１０２が、図３に表す処理を行った場合の、設定結果例を説明する。
【００５１】
図４は、第一の条件情報例に対応する領域設定結果例を表す概念図である。図４（ａ）は、図２に表す記憶部１０３が保持する最新の条件情報例である条件情報（その１）を表す。図４（ｂ）乃至（ｄ）は図４（ａ）に表す条件情報（その１）に基づいて、設定処理部１０２が図３に表す処理を行った場合の、領域設定結果例を表す。
【００５２】
図４（ａ）に表す条件情報（その１）においては、基準配線層である配線層２１について、インピーダンス指定配線の中心線９０１を表す関数Ｆ１と、インピーダンス指定配線幅Ｗｉが指定されている。そのため、設定処理部１０２は、図３のＳ１０３の処理により、図４（ｂ）に表すように、中心線９０１を中心とするインピーダンス指定配線幅Ｗｉの領域をインピーダンス指定配線１の領域に設定している。
【００５３】
図４（ａ）に表す条件情報（その１）においては、さらに、配線層２１の配線禁止幅Ｗｆ１が指定されている。そのため、設定処理部１０２は、図３のＳ１０４の処理により、図４（ｂ）に表すように、中心線９０１を中心とする配線禁止幅Ｗｆ１の領域からインピーダンス指定配線１の領域を除外した領域を、配線禁止層６１の領域に設定している。
【００５４】
図４（ａ）に表す条件情報（その１）においては、さらに、配線層２１の下のＮ層について配線禁止幅Ｗｆ２が指定されている。そのため、設定処理部１０２は、図３のＳ１０６の処理により、図４（ｃ）に表すように、中心線９０１を配線層２１の下のＮ層に投影した線の各々を中心とする配線禁止幅Ｗｆ２の領域を、各配線層における配線禁止層６１の領域に設定している。
【００５５】
図４（ａ）に表す条件情報（その１）においては、さらに、配線層２１の下のＮ＋１番目の層についてリファレンス層幅Ｗｒが指定されている。そのため、設定処理部１０２は、図３のＳ１０８の処理により、図４（ｄ）に表すように、中心線９０１を配線層２１の下のＮ＋１番目の層に投影した線を中心とするリファレンス層幅Ｗｒの領域を、その配線層におけるリファレンス層８１の領域に設定している。
【００５６】
図５は、第二の条件情報例に対応する領域設定結果例を表す概念図である。図５（ａ）は、図２に表す記憶部１０３が保持する最新の条件情報例である条件情報（その２）を表す。図５（ｂ）乃至（ｄ）は図５（ａ）に表す条件情報（その２）に基づいて、設定処理部１０２が図３に表す処理を行った場合の、領域設定結果例を表す。
【００５７】
図５（ａ）乃至（ｄ）の説明は、インピーダンス指定配線の中心線を表す関数が図４（ａ）に表す関数Ｆ１ではなく関数Ｆ２である点を除き、図４（ａ）乃至（ｄ）の説明と同じである。
【００５８】
図６は、第三の条件情報例に対応する領域設定結果例を表す概念図である。図６（ａ）は、図２に表す記憶部１０３が保持する最新の条件情報例である条件情報（その３）を表す。図６（ｂ）及び（ｃ）は図６（ａ）に表す条件情報（その３）に基づいて、設定処理部１０２が図３に表す処理を行った場合の、領域設定結果例を表す。
【００５９】
図６（ａ）に表す条件情報（その３）においては、基準配線層である配線層２１以外についての配線禁止幅の指定がない。そのため、図２に表す設定処理部１０２は、図３に表すＳ１０５の処理によりｎｏを判定し、Ｓ１０６の処理を行わない。そのため、配線層２１以外の配線層についての配線禁止層の設定は行われない。
【００６０】
図６（ａ）に表す条件情報（その３）において、配線層２１の下の２番目の層についてリファレンス層幅Ｗｒが指定されている。そのため、設定処理部１０２は、図３のＳ１０８の処理を行う。設定処理部１０２は、同処理により、図６（ｃ）に表すように、中心線９０１を配線層２１の下２番目（直下）の層に投影した線を中心とするリファレンス層幅Ｗｒの領域を、その配線層におけるリファレンス層８１の領域に設定している。
【００６１】
図７は、第四の条件情報例に対応する領域設定結果例を表す概念図である。図７（ａ）は、図２に表す記憶部１０３が保持する最新の条件情報例である条件情報（その４）を表す。図７（ｂ）乃至（ｆ）は図７（ａ）に表す条件情報（その４）に基づいて、設定処理部１０２が図３に表す処理を行った場合の、領域設定結果例を表す。
【００６２】
図７（ａ）に表す条件情報（その４）においては、図４（ａ）に表す条件情報（その１）に含まれる指定情報に加えて、基準配線層である配線層２１の上のＮ＋１番目の層についてリファレンス層幅Ｗｒが指定されている。そのため、設定処理部１０２は、図３のＳ１０８の処理により、図７（ｂ）に表すように、中心線９０１を配線層２１の上のＮ＋１番目の層に投影した線を中心とするリファレンス層幅Ｗｒの領域を、その配線層におけるリファレンス層８１の領域に設定している。
【００６３】
図７（ａ）に表す条件情報（その４）においては、図４（ａ）に表す条件情報（その１）に含まれる指定情報に加えて、さらに、配線層２１の上のＮ層について配線禁止幅Ｗｆ２が指定されている。そのため、設定処理部１０２は、図３のＳ１０６の処理により、図７（ｃ）に表すように、中心線９０１を配線層２１の上のＮ層に投影した線の各々を中心とする配線禁止幅Ｗｆ２の領域を、各配線層における配線禁止層６１に設定している。
【００６４】
なお、図７（ｄ）乃至（ｆ）の内容は、図７（ａ）に表す条件情報（その４）の図４（ａ）に表す条件情報（その１）と重なる内容に基づくものであり、図４（ｂ）乃至（ｄ）の内容と同じである。
【００６５】
図８は、第五の条件情報例に対応する領域設定結果例を表す概念図である。図８（ａ）は、図２に表す記憶部１０３が保持する最新の条件情報例である条件情報（その５）を表す。図８（ｂ）乃至（ｄ）は図８（ａ）に表す条件情報（その５）に基づいて、設定処理部１０２が図３に表す処理を行った場合の、領域設定結果例を表す。
【００６６】
図８（ａ）に表す条件情報（その５）においては、基準配線層である配線層２１以外についての配線禁止幅の指定がない。そのため、図２に表す設定処理部１０２は、図３に表すＳ１０５の処理によりｎｏを判定し、Ｓ１０６の処理を行わない。そのため、配線層２１以外の配線層についての配線禁止層の設定は行われない。
【００６７】
図８（ａ）に表す条件情報（その５）において、配線層２１の上下のＮ＋１番目の層についてリファレンス層幅Ｗｒが指定されている。そのため、設定処理部１０２は、図３のＳ１０８の処理を行う。設定処理部１０２は、同処理により、図８（ｂ）及び（ｄ）に表すように、中心線９０１を配線層２１の上下Ｎ＋１番目の層に投影した線を中心とするリファレンス層幅Ｗｒの領域を、その配線層におけるリファレンス層８１の領域に設定している。
【００６８】
図９は、第六の条件情報例に対応する領域設定結果例を表す概念図である。図９（ａ）は、図２に表す記憶部１０３が保持する最新の条件情報例である条件情報（その６）を表す。図９（ｂ）乃至（ｅ）は図９（ａ）に表す条件情報（その６）に基づいて、設定処理部１０２が図３に表す処理を行った場合の、領域設定結果例を表す。
【００６９】
図９（ａ）に表す条件情報（その６）においては、基準配線層である配線層２１の下のＮ層について配線禁止幅Ｗｆ２が指定されている。そのため、設定処理部１０２は、図３のＳ１０６の処理により、図９（ｄ）に表すように、中心線９０１を配線層２１の下のＮ層に投影した線の各々を中心とする配線禁止幅Ｗｆ２の領域を、各配線層における配線禁止層６１に設定している。
【００７０】
図９（ａ）に表す条件情報（その６）においては、さらに、配線層２１の上の２番目の配線層及び下のＮ＋１番目の層についてリファレンス層幅Ｗｒが指定されている。そのため、設定処理部１０２は、図３のＳ１０８の処理を行う。設定処理部１０２は、同処理により、図９（ｂ）に表すように、中心線９０１を配線層２１の上の２番目（直上）の層に投影した線を中心とするリファレンス層幅Ｗｒの領域を、その配線層におけるリファレンス層８１の領域に設定している。設定処理部１０２は、図３のＳ１０８の処理により、また、図９（ｅ）に表すように、中心線９０１を配線層２１の下のＮ＋１番目の層に投影した線を中心とするリファレンス層幅Ｗｒの領域を、その配線層におけるリファレンス層８１の領域に設定している。
【００７１】
図１０は、第七の条件情報例に対応する領域設定結果例を表す概念図である。図１０（ａ）は、図２に表す記憶部１０３が保持する最新の条件情報例である条件情報（その７）を表す。図１０（ｂ）乃至（ｄ）は図１０（ａ）に表す条件情報（その７）に基づいて、設定処理部１０２が図３に表す処理を行った場合の、領域設定結果例を表す。
【００７２】
図１０（ａ）に表す条件情報（その７）においては、二本の配線の組からなるインピーダンス指定配線の中心線がインピーダンス指定配線の中心線９０１とされている。二本の配線の組は例えば差動配線である。そして、条件情報（その７）においては、それぞれのインピーダンス指定配線幅Ｗｉに加えて、二本のインピーダンス指定配線の配線間隔Ｗａが指定されている。そのため、設定処理部１０２は、図３に表すＳ１０３の処理により、図１０（ｂ）に表すように、中心線９０１を中心とする幅２×Ｗｉ＋Ｗａの領域から、中心線９０１を中心とする配線間隔Ｗａの領域を除外した領域をインピーダンス指定配線１に設定している。
【００７３】
図１０（ａ）に表す条件情報（その７）においては、さらに、基準配線層である配線層２１の配線禁止幅Ｗｆ１が指定されている。そのため、設定処理部１０２は、図３のＳ１０４の処理を行う。設定処理部１０２は、同処理により、図１０（ｂ）に表すように、中心線９０１を中心とする配線禁止幅Ｗｆ１の領域からＳ１０３の処理により設定されたインピーダンス指定配線１の領域を除外した領域を、配線禁止層６１に設定している。
【００７４】
図１０（ａ）に表す条件情報（その７）においては、さらに、配線層２１の下のＮ層について配線禁止幅Ｗｆ２が指定されている。そのため、設定処理部１０２は、図３のＳ１０６の処理により、図１０（ｃ）に表すように、中心線９０１を配線層２１の下のＮ層に投影した線の各々を中心とする配線禁止幅Ｗｆ２の領域を、各配線層における配線禁止層６１に設定している。
【００７５】
図１０（ａ）に表す条件情報（その７）においては、さらに、配線層２１の下のＮ＋１番目の層についてリファレンス層幅Ｗｒが指定されている。そのため、設定処理部１０２は、図３のＳ１０８の処理を行う。設定処理部１０２は、同処理により、図１０（ｄ）に表すように、中心線９０１を配線層２１の下のＮ＋１番目の層に投影した線を中心とするリファレンス層幅Ｗｒの領域を、その配線層におけるリファレンス層８１の領域に設定している。
［効果］
本実施形態の設定装置は、ＣＡＤによるインピーダンス指定配線の領域設定を行う際に、予め設定された情報に基づき、配線禁止層及びリファレンス層の領域設定を自動的に行う。そのため、前記設定装置は、ＣＡＤによるインピーダンス指定配線の領域設定の際の配線禁止層やリファレンス層の領域設定や変更をより容易にする。そのため、前記設定装置は、ＣＡＤによるインピーダンス指定配線の領域設定の際に生じる配線禁止層やリファレンス層の設定や変更に誤りが生じる確率を低減する。
【００７６】
図１１は実施形態の設定装置の最小限の構成である設定装置１００ｘの構成を表すブロック図である。
【００７７】
設定装置１００ｘは、第一設定部１０２ａｘと第二設定部１０２ｂｘとを備える。
【００７８】
第一設定部１０２ａｘは、インピーダンスの値の範囲が指定されたインピーダンス指定配線の配線位置を表す位置情報と、前記インピーダンス指定配線の幅とから第一配線層における前記インピーダンス指定配線の領域設定である第一設定を行う。
【００７９】
第二設定部１０２ｂｘは、前記位置情報の格納時又は前記格納以前に格納された、第一配線禁止幅と前記位置情報とから、前記第一配線層における、前記第一配線禁止層の領域設定である第二設定を行う。前記第一配線禁止幅は、前記第一配線層における配線が禁止された層である第一配線禁止層の幅である。
【００８０】
設定装置１００ｘは、インピーダンス指定配線の領域設定を行う際に、前記位置情報と前記第一配線禁止幅とから、前記第一配線禁止層の領域設定を自動的に行う。そのため、前記設定装置は、インピーダンス指定配線の領域設定の際の配線禁止層の領域設定に誤りが生じる確率を低減する。
【００８１】
そのため、設定装置１００ｘは、前記構成により、［発明の効果］の項に記載した効果を奏する。
【００８２】
なお、設定装置１００ｘは、例えば、図２に表す設定装置１００である。
【００８３】
また、第一設定部１０２ａｘは、例えば、図２に表す設定処理部１０２の、図３に表すＳ１０３の処理を行う部分である。
【００８４】
また、第二設定部１０２ｂｘは、例えば、図２に表す設定処理部１０２の、図３に表すＳ１０４の処理を行う部分である。
【００８５】
また、前記インピーダンス指定配線は、例えば、図１及び図４乃至図１０に表すインピーダンス指定配線１である。
【００８６】
また、配線位置を表す位置情報は、例えば、図１及び図４乃至図１０に表す中心線９０１の位置を表す情報である。
【００８７】
また、前記第一配線層は、例えば、前述の基準配線層であり、前記基準配線層は、例えば、図１及び図４乃至図１０に表す配線層２１である。
【００８８】
また、前記第一配線禁止層は、図１及び図４乃至図１０に表す配線禁止層６１である。
【００８９】
以上、本発明の各実施形態を説明したが、本発明は、前記した実施形態に限定されるものではなく、本発明の基本的技術的思想を逸脱しない範囲で更なる変形、置換、調整を加えることができる。例えば、各図面に示した要素の構成は、本発明の理解を助けるための一例であり、これらの図面に示した構成に限定されるものではない。
【００９０】
また、前記の実施形態の一部又は全部は、以下の付記のようにも記述され得るが、以下には限られない。
（付記１）
インピーダンスの値の範囲が指定されたインピーダンス指定配線の配線位置を表す位置情報と、前記インピーダンス指定配線の幅とから第一配線層における前記インピーダンス指定配線の領域設定である第一設定を行う、第一設定部と、
前記位置情報の格納時又は前記格納以前に格納された、前記第一配線層における配線が禁止された層である第一配線禁止層の第一配線禁止幅と前記位置情報とから、前記第一配線層における、前記第一配線禁止層の領域設定である第二設定を行う第二設定部と、
を備える、設定装置。
（付記２）
前記位置情報の入力時又は前記入力時以前に入力された、リファレンス層の幅であるリファレンス層幅と前記位置情報とから、第二配線層における前記リファレンス層の領域設定である第三設定を行う第三設定部を、さらに備える、付記１に記載された設定装置。
（付記３）
前記第二配線層の層数が複数である、付記２に記載された設定装置。
（付記４）
前記位置情報の格納時又は前記格納以前に格納された、第三配線層における配線が禁止された層である第三配線禁止層の第三配線禁止幅と前記位置情報とから、前記第三配線層における、前記第三配線禁止層の領域設定である第三設定を行う第三設定部と、
を備える、付記１乃至付記３のうちのいずれか一に記載された設定装置。
（付記５）
前記第三配線層の層数が複数である、付記４に記載された設定装置。
（付記６）
前記インピーダンス指定配線が、複数本の配線の組である、付記５に記載された設定装置。
（付記７）
前記複数本の配線が互いに平行である、付記６に記載された設定装置。
（付記８）
前記複数本が二本である、付記６又は付記７に記載された設定装置。
（付記９）
前記インピーダンス指定配線が差動配線である、付記８に記載された設定装置。
（付記１０）
前記位置情報が、前記インピーダンス指定配線の中心線を表す、付記１乃至付記８のうちのいずれか一に記載された設定装置。
（付記１１）
インピーダンスの値の範囲が指定されたインピーダンス指定配線の配線位置を表す位置情報と、前記インピーダンス指定配線の幅とから第一配線層における前記インピーダンス指定配線の領域設定である第一設定を行い、
前記位置情報の格納時又は前記格納以前に格納された、前記第一配線層における配線が禁止された層である第一配線禁止層の第一配線禁止幅と前記位置情報とから、前記第一配線層における、前記第一配線禁止層の領域設定である第二設定を行う、
設定方法。
（付記１２）
インピーダンスの値の範囲が指定されたインピーダンス指定配線の配線位置を表す位置情報と、前記インピーダンス指定配線の幅とから第一配線層における前記インピーダンス指定配線の領域設定である第一設定を行う処理と、
前記位置情報の格納時又は前記格納以前に格納された、前記第一配線層における配線が禁止された層である第一配線禁止層の第一配線禁止幅と前記位置情報とから、前記第一配線層における、前記第一配線禁止層の領域設定である第二設定を行う処理とを、
コンピュータに実行させる設定プログラム。
【符号の説明】
【００９１】
１    インピーダンス指定配線
２１、２２、２３    配線層
３１、３２、３３    絶縁層
６１    配線禁止層
７１    配線可能層
８１    リファレンス層
１００、１００ｘ    設定装置
１０１    入力処理部
１０２    設定処理部
１０２ａｘ    第一設定部
１０２ｂｘ    第二設定部
１０３    記憶部
１０４    出力部
９０１    中心線
【図１】
2020135463.tif 000003
【図２】
2020135463.tif 000004
【図３】
2020135463.tif 000005
【図４】
2020135463.tif 000006
【図５】
2020135463.tif 000007
【図６】
2020135463.tif 000008
【図７】
2020135463.tif 000009
【図８】
2020135463.tif 000010
【図９】
2020135463.tif 000011
【図１０】
2020135463.tif 000012
【図１１】
2020135463.tif 000013